(57)【要約】【課題】植毛長さを簡単に調節することのできる増毛用ヘアクリップを提供する。【解決手段】増毛用毛髪Ｈを通して吊り掛けるための通孔６又は切欠き部を備える植毛板５ａと、該植毛板５ａに並設されて該植毛板５ａに吊り掛けた毛を摺動可能に挟持する挟持部２と、を有することを特徴とする。【選択図】図１
2007229326.tif 000002
【特許請求の範囲】
【請求項１】
増毛用毛髪を通して吊り掛けるための通孔又は切欠き部を備える植毛板と、該植毛板に並設されて該植毛板に吊り掛けた毛を摺動可能に挟持する挟持部と、を有することを特徴とする増毛用ヘアクリップ。
【請求項２】
前記植毛板は、植毛板に吊り掛けた毛の挟持状態を解除できるよう、前記挟持部にヒンジを介して連結されていることを特徴とする請求項１記載の増毛用ヘアクリップ。
【発明の詳細な説明】
【技術分野】
【０００１】
本発明は、頭髪に挟着させて、ヘアメッシュ、ヘアエクステンション、付け毛等の増毛を施すことにより、ファッション性を高める増毛用クリップに関する。
【背景技術】
【０００２】
従来、この種の増毛用ヘアクリップは、結束した人工毛をヘアピン等の髪挟持具に縫い付け、接着固定等によって固定するものが一般的である（例えば、特許文献１，２）。
【特許文献１】実開昭６２−６７５０２号公報
【特許文献２】実開昭５１−７３２８５号公報
【発明の開示】
【発明が解決しようとする課題】
【０００３】
従来の増毛用ヘアクリップは、人工毛が縫合、接着剤等によって髪挟持具に固定されているため、人工毛をカットするか、あるいはクリップ等に縫合されている人工毛を外して付け替えるなどして、人工毛の長さを調節していた。
【０００４】
しかしながら、長さ調整のために人工毛をカットしてしまうと、頭髪が伸びたときに違和感が生じ、買い換えなければならなくなるという問題がある。また、縫合されている人工毛を取り外すために縫合を切断し、新たに縫合し直すのは、多くの手間がかかるという問題がある。
【０００５】
そこで、本発明は、上記問題を解決するべく、植毛長さを簡単に調節することのできる増毛用ヘアクリップを提供することを目的とする。
【課題を解決するための手段】
【０００６】
上記目的を達成するため、本発明に係る増毛用ヘアクリップは、増毛用毛髪を通して吊り掛けるための通孔又は切欠き部を備える植毛板と、該植毛板に並設されて該植毛板に吊り掛けた毛を摺動可能に挟持する挟持部と、を有することを特徴とする。
【発明の効果】
【０００７】
本発明に係る増毛用ヘアクリップによれば、前記植毛板に吊り掛けられた植毛が、植毛板と挟持部との間で摺動可能に挟まれているため、植毛の何れか一方の端を持って引き出すことができ、それによって植毛長さを調節することができる。
【発明を実施するための最良の形態】
【０００８】
本発明に係る増毛用ヘアクリップの好適な実施形態について、以下に図面を参照しつつ説明する。なお、全実施形態及び全図を通し、同様の構成部分については同符号を付した。
【０００９】
本発明に係る増毛用ヘアクリップの第１実施形態について、図１及び図２を参照しつつ説明する。図１は斜視図、図２は図１のII−II断面に沿う拡大断面図である。増毛用ヘアクリップ１は、装飾板２と、装飾板２に螺子４で固定された金属製のクリップ５とを備えている。なお、装飾板２は、外面に種々模様が施されたものや、種々の形態のものを採用し得る。
【００１０】
クリップ５は、装飾板２に並設して固定される基板５ａと、基板５ａに係合されたバネ板５ｂと、一端が基板５ａにヒンジ連結され他端が基板５ａと係合可能とされた留め板５ｃとを、備えている。
【００１１】
基板５ａに１以上の通孔６が形成され、この通孔６に、人工毛、人毛、動物毛等の増毛用毛髪Ｈを挿通され、吊り掛けられる。こうして基板５ａに通孔６が形成されることによって、本発明構成要素としての植毛板が構成されている。通孔６は、図示例では、円形をしているが、くの字形、Ｕ字形、三角型、星形、ハート形等の種々形状を採用することができる。
【００１２】
通孔６は、基板５ａの長さ方向に均等間隔で複数個が形成されていることが好ましい。斯かる構成によって、増毛用毛髪Ｈは、基板５ａの長さ方向において偏らず、基板５ａの長さ方向に均等に植毛される。なお、図１には、図示の都合上、増毛用毛髪Ｈを一つの通孔６にしか挿通させていないが、全ての通孔６に増毛用毛髪が挿通される。
【００１３】
基板５ａには、装飾板２の側に凸のリブ７（図２参照）が、長さ方向に沿って延設されている。このリブ７の凸端部が、通孔６を通して吊り掛けられた増毛用毛髪Ｈを装飾板２の内側面との協動により挟持する挟持部を構成する。
【００１４】
装飾板２と基板５ａのリブ７とは、増毛用毛髪Ｈが摺動可能な程度となるよう挟持する。本実施形態では、基板５ａが金属製薄板により形成されることで板バネ弾性を有し、また、基板５ａのリブ７は半円形断面形状を有していて、増毛用毛髪Ｈとの接触面積を少なくすることによって、増毛用毛髪を摺動可能に挟持している。
【００１５】
このように増毛用毛髪Ｈを摺動可能に挟持することによって、増毛用毛髪Ｈの長さを調節することが可能になる。例えば、増毛用毛髪Ｈがその長さ方向中間位置で通孔６に吊り掛けられている場合に、増毛用毛髪Ｈの一方端を把持して引っ張れば、その一方側に増毛用毛髪Ｈを引き出すことができ、増毛用ヘアクリップ１に取り付けられている増毛用毛髪Ｈは、全体として長くなる。
【００１６】
増毛用ヘアクリップ１は、頭髪にクリップ留めした後にヘアブラシでブラッシングすることがあるため、通常のブラッシングによっては増毛用毛髪Ｈが植毛板を構成する基板５ａから抜け落ちない程度に、装飾板２と基板５ａとによる増毛用毛髪Ｈの挟持力が設定される。
【００１７】
図３は、本発明に係る増毛用ヘアクリップの第２実施形態を示している。第２実施形態の増毛用ヘアクリップ１は、基板５ａに切欠き８を形成することによって植毛板が構成されている点が上記第１実施形態と相違し、その他の構成は上記第１実施形態と同じである。
【００１８】
切欠き８は櫛歯状に形成し、植毛板を構成する基板５ａに吊り掛けられる増毛用毛髪Ｈが偏り無く均等に吊り掛けることができるようにしておくことが好ましい。なお、切欠き８は、図示例の形状に限らず、テーパー溝型等の種々形状の切欠きを採用することができる。
【００１９】
図４は、本発明に係る増毛用ヘアクリップの第３実施形態を示す斜視図である。第３実施形態の増毛用ヘアクリップ１は、第２実施形態の変形例であり、クリップ５がヒンジ１０を介して装飾板２に対して開閉自在に連結されている。クリップ５を装飾板２に対して閉じる場合は、装飾板２に回転自在に軸着された留め片１１を基板５ａの上にスライドさせて、開きを防止するができる。なお、クリップ５の閉鎖状態を保つ係止手段は、留め片１１に限らず、種々の係止手段を採用し得る。
【００２０】
第３実施形態の増毛用ヘアクリップ１では、留め片１１を外してクリップ５を開けば、増毛用毛髪Ｈの挟持状態が解かれるので、増毛用毛髪Ｈを他の種類のものと交換することが容易になる。
【００２１】
図５は、本発明に係る増毛用ヘアクリップの第４実施形態を示す斜視図である。第４実施形態の増毛用ヘアクリップ１は、クリップ５が、基端が連結された一つの挟持片５ｄ、５ｅが全体として板バネになっていて、図の左右両端部を持ってそり返すと挟持片５ｅの先端（図の下端）が挟持片５ｄから離れ、その離隔間隔に頭髪を割り込ませ、そり返し状態から元へ戻すと挟持片５ｄ、５ｅが挟持状態となって、頭髪を挟持し、クリップ５を頭髪に保持することができる。この種のクリップは種々形態のものがある。本実施形態では、一方の挟持片５ｅが櫛状になっているタイプのものである。
【００２２】
他方の挟持片５ｄの外面に、植毛板５１が装着されている。植毛板５１は、金属製薄板に通孔６を形成することによって構成され、挟持片５ｄに形成された環状部２１、２２に挿通され、両端に形成された抜け止め部５１ａ、５１ｂによって抜け落ちないようになっている。
【００２３】
こうして装着された植毛板５１は、クリップ５のそり返しに追従しつつ、植毛板５１に吊り掛けられた増毛用毛髪Ｈを、植毛板５１と挟持片５ｄの外面との間で摺動可能に挟持することができる。従って、第４実施形態の増毛用ヘアクリップ１では、挟持片５ｄの外面の一部が、本発明構成要素である挟持部を構成し、植毛板５１との協動によって増毛用毛髪Ｈを摺動自在に挟持する。
【００２４】
本発明は、上記の実施形態に限定されるものではなく、本発明の範囲内において種々の変更が可能である。
【図面の簡単な説明】
【００２５】
【図１】本発明に係る増毛用ヘアクリップの第１実施形態を示す斜視図である。
【図２】図１のII−II断面に沿う拡大断面図である。
【図３】本発明に係る増毛用ヘアクリップの第２実施形態を示す斜視図である。
【図４】本発明に係る増毛用ヘアクリップの第３実施形態を示す斜視図である。
【図５】本発明に係る増毛用ヘアクリップの第４実施形態を示す斜視図である。
【符号の説明】
【００２６】
１  増毛用ヘアクリップ
２，５ｄ  挟持部
５ａ、５１  基板（植毛板）
６  通孔
８  切欠き部
１０  ヒンジ
Ｈ  増毛用毛髪
【図１】
2007229326.tif 000003
【図２】
2007229326.tif 000004
【図３】
2007229326.tif 000005
【図４】
2007229326.tif 000006
【図５】
2007229326.tif 000007